(57)【特許請求の範囲】
【請求項１】
勾配屋根及び陸屋根を含む建物の前記陸屋根側の天井フレームの下方に配置された室内機と、
前記陸屋根側の天井フレームの下側に配置される天井板を含んで構成された下がり天井部内に設置されると共に、一端側が前記室内機に接続されて空調空気が通される第１ダクト部と、
前記勾配屋根側の天井フレームの上側に配索されると共に、前記下がり天井部から前記勾配屋根側に延設された延設部において前記第１ダクト部に接続されて空調空気が通される第２ダクト部と、
を備えた建物の空調設備。
【請求項２】
前記第１ダクト部と前記第２ダクト部とを接続する接続部が、前記第１ダクト部から突出されて前記延設部に収容されている請求項１に記載の建物の空調設備。
【請求項３】
前記第１ダクト部の断面形状は矩形状とされ、第２ダクト部の断面形状は円形とされていると共に、当該第２ダクト部は可撓性とされている請求項２に記載の建物の空調設備。
【請求項４】
前記第１ダクト部には、前記陸屋根側の空調空間へ向けて開口された吹出し部が設けられている請求項３記載の建物の空調設備。
【請求項５】
前記接続部は、断面開口が前記第１ダクト部側から前記第２ダクト部側へ向けて狭められている請求項２から請求項４の何れか１項に記載の建物の空調設備。
【請求項６】
前記接続部は、円弧状に湾曲された先端部を有し、前記第２ダクト部が前記先端部に接続されている請求項５に記載の建物の空調設備。
【発明の詳細な説明】
【技術分野】
【０００１】
本発明は、建物の空調設備に関する。
【背景技術】
【０００２】
住宅などの建物に設置される空調設備は、屋外に室外機が設置されると共に、屋内（建物内）に室内機が設置され、室外機と室内機との間で循環される冷媒により生成された空調風（温風又は冷風）が室内機から建物の居住空間内に供給される。これにより、建物の居住空間が空調される。
【０００３】
特許文献１のユニット式建物では、１階の建物ユニットに嵩上げされて２階の建物ユニットが配置され、１階の建物ユニットと２階の建物ユニットとの間の天井懐に空調装置の装置本体が配置されている。また、特許文献１のユニット式建物では、２階の建物ユニットにダクトスペースが設けられており、ダクトスペースに配置された吸気ダクトの一端が装置本体に接続されると共に、他端が２階の小屋裏空間に配置された断面台形状の分岐チャンバーに接続されている。分岐チャンバーには、各々が小屋裏空間の天井側に設けられたダクト吹出し部に接続された複数の吸気ダクトが接続されている。
【先行技術文献】
【特許文献】
【０００４】
【特許文献１】特開２０１４−２４０５７０号公報
【発明の概要】
【発明が解決しようとする課題】
【０００５】
ところで、建物の屋根には、切妻屋根等の勾配屋根、及び陸屋根などがあり、また、複数の形状の屋根を組み合わせた屋根(混合屋根)がある。さらに、混合屋根には、勾配屋根と陸屋根とを組み合わせた屋根がある。ここで、特許文献１に記載の構成では、天井裏空間にダクトを配索するためのスペースが必要となる。この特許文献１に記載された構成を勾配屋根と陸屋根とが組み合わされている場合に適用すると、勾配屋根側には、天井裏空間にダクトを配索するスペースを確保可能であるが、陸屋根側には、天井裏空間にダクトを配索するためのスペースを確保することが困難である。
【０００６】
本発明は上記事実に鑑みてなされたものであり、勾配屋根及び陸屋根を備えた建物において、一システムで勾配屋根側の空調空間と陸屋根側の空調空間とを空調できる建物の空調設備を提供することを目的とする。
【課題を解決するための手段】
【０００７】
上記目的を達成するための第１の態様は、勾配屋根及び陸屋根を含む建物の前記陸屋根側の天井フレームの下方に配置された室内機と、前記陸屋根側の天井フレームの下側に配置される天井板を含んで構成された下がり天井部内に設置されると共に、一端側が前記室内機に接続されて空調空気が通される第１ダクト部と、前記勾配屋根側の天井フレームの上側に配索されると共に、前記下がり天井部から前記勾配屋根側に延設された延設部において前記第１ダクト部に接続されて空調空気が通される第２ダクト部と、を備えている。
【０００８】
第１の態様では、建物に勾配屋根及び陸屋根が設けられており、室内機が陸屋根側の天井フレームの下方に配置されている。室内機には、天井フレームの下側に設けられた第１ダクト部が接続されており、第１ダクト部に室内機から空調空気が供給される。建物の勾配屋根側には、天井フレームの上側の天井裏空間内に第２ダクト部が配索されており、第２ダクト部が第１ダクト部に接続されることで、第１ダクト部を介して第２ダクト部に空調空気が供給される。
【０００９】
ここで、建物の陸屋根側には、下がり天井部が設けられており、下がり天井部に第１ダクト部が収容されている。また、建物には、下がり天井部を延設した延設部が勾配屋根側に設けられており、第２ダクト部は、延設部において第１ダクト部に接続される。
【００１０】
このように延設部を利用することにより、勾配屋根側の天井フレームの上側に配索される第２ダクト部を、陸屋根側の天井フレームの下側に配置された第２ダクト部に接続できる。これにより、勾配屋根と陸屋根とが設けられた建物において、勾配屋根側及び陸屋根側の各々の空調空間に空調空気を供給することができる。
【００１１】
第２の態様は、第１の態様において、前記第１ダクト部と前記第２ダクト部とを接続する接続部が、前記第１ダクト部から突出されて前記延設部に収容されている。
【００１２】
第２の態様では、第２ダクト部が接続される接続部が第１ダクト部に設けられている。また、接続部は、建物の勾配屋根側に設けられた延設部に収容されている。このため、第２ダクト部を天井フレームの上側から天井フレームの下側へ向けて配索して、第１ダクト部の接続部に接続できる。
【００１３】
第３の態様は、第２の態様において、前記第１ダクト部の断面形状は矩形状とされ、第２ダクト部の断面形状は円形とされていると共に、当該第２ダクト部は可撓性とされている。
【００１４】
第３の態様では、第１ダクト部として断面形状が矩形とされた所謂角ダクトが用いられている。第１ダクト部として角ダクトが用いられることで、高さ方向の寸法を小さくしても、多量の空調空気を通すことができ、高さ寸法を小さくすることで、下がり天井の深さを小さくできる。
【００１５】
また、第２ダクトとして、可撓性かつ断面形状が円形のダクトを用いることで、接続部への接続及び勾配屋根側における配索が容易となる。
【００１６】
第４の態様は、第３の態様において、前記第１ダクト部には、前記陸屋根側の空調空間へ向けて開口された吹出し部が設けられている。
【００１７】
第４の態様では、第１ダクト部に吹出し部を設けている。下がり天井部は、周囲の天井よりも下げられており、下がり天井部の立下り部分に吹出し部が開口されることで、下がり天井部の周囲へ第１ダクト部から空調空気を吹出すことができる。これにより、陸屋根側に第１ダクト部とは別に空調空気の吹出し部に接続するためのダクトを設ける必要がなくなる。
【００１８】
第５の態様は、第２の態様から第４の態様の何れかにおいて、前記接続部は、断面開口が前記第１ダクト部側から前記第２ダクト部側へ向けて狭められている。
【００１９】
第５の態様では、接続部の断面開口である内部開口が第１ダクト部側から第２ダクト部側へ向けて徐々に狭めされている。これにより、第１ダクト部から第２ダクト部に流れる空調空気に生じる圧力損失が抑えられるので、第２ダクト部へ供給される空調空気の流量や流速が下がるのを抑えられる。
【００２０】
第６の態様は、第５の態様において、前記接続部は、円弧状に湾曲された先端部を有し、前記第２ダクト部が前記先端部に接続されている。
【００２１】
第６の態様では、第２ダクト部が接続される接続部の先端部が円弧状とされている。これにより、第１ダクト部から空調空気を収束させながら第２ダクト部に供給することができて、空調空気の圧力損失を抑えられる。
【発明の効果】
【００２２】
第１の態様によれば、一システムで勾配屋根側の空調空間と陸屋根側の空調空間とを空調できる、という効果を有する。
【００２３】
第２の態様によれば、第１ダクト部に接続するための第２ダクト部の取り回しが容易となる、という効果を有する。
【００２４】
第３の態様によれば、第１ダクト部と設けるために陸屋根側の居住空間が狭めされるのを抑えることができる、という効果を有する。
【００２５】
第４の態様によれば、陸屋根側の居住空間が狭くなるのを抑えられる、という効果を有する。
【００２６】
第５の態様によれば、第２ダクト部に供給された空調空気を空調空間の隅々まで送ることができる、という効果を有する。また、第６の態様によれば、簡単な形状で第２ダクト部へ効率的に空調空気を供給できる、という効果を有する。
【図面の簡単な説明】
【００２７】
【図１】本実施の形態に係る建物の側面視における空調設備の概略を示す構成図である。
【図２】建物を形成する居室用ユニットの概略を示す斜視図である。
【図３】空調設備が設けられる建物の間取り図である。
【図４】本実施の形態に係る空調設備の主要部を示す概略斜視図である。
【図５】（Ａ）及び（Ｂ）は、接続部の一例を示す概略斜視図である。
【発明を実施するための形態】
【００２８】
以下、図面を参照して、本発明の実施例を詳細に説明する。
図１には、本実施の形態に係る建物１０の概略が側方視にて示されている。本実施の形態に係る建物１０は、ユニット式住宅（ユニット式の建物）とされている。図２には、建物１０を形成するユニットが斜視図にて示されている。
【００２９】
図１に示されるように、本実施の形態に係る建物１０は、２階建てとされていると共に、屋根が勾配屋根１２及び陸屋根１４により形成されており、境界部１４Ａにおいて一側が勾配屋根１２とされ、他側が陸屋根１４とされている。図２に示されるように、建物１０には、複数の居室用ユニット１６、及び屋根用ユニット１８が用いられている。建物１０は、複数の居室用ユニット１６が水平方向（縦横）に配列されると共に上下に重ねられており、縦横及び上下に隣接する居室用ユニット１６が互いに連結されて１階（階下）部分及び２階（階上）部分が形成されている。
【００３０】
居室用ユニット１６には、４本のフレーム側柱２０が設けられており、４本のフレーム側柱２０の上部に天井フレーム２２が形成されると共に、４本のフレーム側柱２０の下部に床フレーム２４が形成されている。天井フレーム２２は、一対の桁天井大梁２６Ａ及び一対の妻天井大梁２６Ｂの端部がフレーム側柱２０の上部の接合部材２０Ａに剛接合されて矩形枠状とされている。また、天井フレーム２２の桁天井大梁２６Ａの間には、各々が妻天井大梁２６Ｂと並行とされた複数の天井小梁２６Ｃが配置されており、天井小梁２６Ｃの各々の端部が桁天井大梁２６Ａに接合されている。これにより、天井フレーム２２が略梯子状に形成されている。
【００３１】
床フレーム２４には、一対の桁床大梁２８Ａ及び一対の妻床大梁２８Ｂの端部がフレーム側柱２０の下部の接合部材２０Ｂに剛接合されて矩形枠状とされている。また、床フレーム２４の桁床大梁２８Ａの間には、各々が妻床大梁２８Ｂと並行とされた複数の床小梁２８Ｃが配置されており、床小梁２８Ｃの各々の端部が桁床大梁２８Ａに接合されている。これにより、床フレーム２４が略梯子状に形成されている。
【００３２】
居室用ユニット１６には、天井フレーム２２の天井小梁２６Ｃを天井下地として又は天井小梁２６Ｃから吊り下げられて設けられた天井下地に天井板３０が配置されて天井が形成される。また、居室用ユニット１６には、床フレーム２４の床小梁２８Ｃを床下地として又は床小梁２８Ｃに配置された図示しない根太を床下地として、床下地上に床板３２が配置されて床が形成される。なお、床は、床フレーム２４に配置した根太の間に断熱材を敷き詰めて、断熱材の上に複数枚の板材（床板３２）が重ねられて形成されても良い。
【００３３】
建物１０では、居住空間とされる居室用ユニット１６の内部が間仕切り壁により区画されることで、廊下、物入れなどの小部屋が形成される。また、建物１０は、水平方向に配列された複数の居室用ユニット１６が連通されることで、１つの居室用ユニット１６よりも広い居住空間となる居室等が形成される。
【００３４】
建物１０は、階上部分の居室用ユニット１６上に勾配屋根１２を形成する屋根用ユニット１８が接合されている。勾配屋根１２としては、切妻屋根、寄棟屋根、片流れ屋根などの任意の形態を適用できる。図１及び図２に示されるように、本実施の形態では、勾配屋根１２として切妻屋根が適用されている。
【００３５】
屋根用ユニット１８は、図示しない骨材が用いられて切妻屋根を形成するように組み付けられている。また、屋根用ユニット１８には、図示しない複数の屋根小梁が傾斜されて設けられて屋根フレームが形成されており、屋根フレームが下地とされて屋根パネルなどの屋根用部材が傾斜されて敷き詰められている。なお、勾配屋根１２は、予め屋根用ユニット１８として組まれているものに限らず、鉄骨等が用いられて水平方向に配列された居室用ユニット１６上に枠組みされて形成されても良い。
【００３６】
図１に示されるように、建物１０では、屋根の一部に屋根用ユニット１８が設けられることで切妻屋根とされた勾配屋根１２が形成され、勾配屋根１２側には、天井裏空間１２Ａが形成可能となっている。
【００３７】
一方、建物１０には、全館空調システムが設けられており、全館空調システムには、空等設備としての空調設備３４が含まれている。空調設備３４は、室内装置としての室内機３６及び室外装置としての図示しない室外機が含まれており、室外機が建物１０の外部（屋外）に設置されていると共に、室内機３６が建物１０の階上（２階）に設けられている。室内機３６、室内機３６に接続されるダクト、及び室内機３６に接続されるチャンバーなどの空調設備機器により、空調空間を空調する一システムが構成されている。これにより、空調設備３４は、建物１０の全館空調システムにおいて、主に階上の空調を担う空調システムの一つとされている。なお、全館空調システムでは、空調設備３４（室内機３６）とは別に階下（１階）の空調を担う空調システムが設けられて良い。また、全館空調システムは、空調設備３４が階下に設けられた室内機を備え、空調設備３４が階上と共に階下の空調空間の空調を担っても良い。
【００３８】
図３には、建物１０において空調設備３４により空調される階上の空調空間が間取り図にて示されている。建物１０には、間仕切り壁３８により区画されて複数の居室４０が設けられており、居室４０としては、勾配屋根１２側に設けられた居室４０Ａ、４０Ｂ、及び陸屋根１４側に設けられた居室４０Ｃが含まれている。
【００３９】
また、建物１０には、居室４０Ａの陸屋根１４側に廊下４２が設けられており、廊下４２には、階上と階下とを繋ぐ階段室４２Ａ及び階上のホール４２Ｂが連通されている。階段室４２Ａは、廊下４２の居室４０Ｃ側に設けられており、ホール４２Ｂは、階段室４２Ａの居室４０Ｂ側に設けられている。ホール４２Ｂには、階段室４２Ａとは反対側の居室４０Ｂ側に、階上と階下とを連通する吹き抜け４２Ｃが形成されている。また、建物１０には、廊下４２を挟んで居室４０Ａと反対側に機械室４４が設けられており、機械室４４には、廊下４２側に両開きの扉４４Ａが設けられている。
【００４０】
建物１０は、居室４０Ａと廊下４２との間の間仕切り壁３８上が勾配屋根１２と陸屋根１４との境界部１４Ａとされている。従って、建物１０は、廊下４２、階段室４２Ａ及び機械室４４が陸屋根１４側とされており、ホール４２Ｂが勾配屋根１２側とされている。
【００４１】
図１、図３に示されるように、室内機３６は、機械室４４内に設けられており、室内機３６は、機械室４４の床板３２上（床面上）に配置されている。図４には、空調設備３４の主要部が斜視図にて示されている。
【００４２】
図１及び図４に示されるように、室内機３６には、熱交換ユニット３６Ａ、及び図示しないファンが設けられた送風ユニット３６Ｂが一体に設けられている。熱交換ユニット３６Ａは、室外機との間が図示しない冷媒配管により接続されて、冷媒配管を介して室外機との間で冷媒が循環される。また、送風ユニット３６Ｂには、廊下４２側の面に吸込み部３６Ｃが設けられている。室内機３６が配置される機械室４４には、扉４４Ａ及び扉４４Ａの下側の一方に通気用として図示しないガラリ（通気口）が設けられており、機械室４４がガラリを介して廊下４２に連通されている。
【００４３】
これにより、室内機３６には、送風ユニット３６Ｂの図示しないファンが作動されることで、ガラリを介して廊下４２内の空気が吸い込まれる。また、室内機３６では、熱交換ユニット３６Ａにおいて、送風ユニット３６Ｂにより吸い込まれた空気と冷媒との間で熱交換がおこなわれて空調空気（暖気又は冷気）が生成される。
【００４４】
空調設備３４には、空調設備機器である第１ダクト部としての角ダクト４６が設けられている。図４に示されるように、角ダクト４６には、各々が直方体の箱体状とされた直線部材４８Ａ、４８Ｂが設けられており、直線部材４８Ａ、４８Ｂの間には、直線部材４８Ａ、４８Ｂを連通するコーナー部材４８Ｃが設けられている。コーナー部材４８Ｃは、平面視円弧状とされており、角ダクト４６は、直線部材４８Ａ、４８Ｂがコーナー部材４８Ｃにより連結されてＬ字状とされている。
【００４５】
建物１０は、居室４０（４０Ａ〜４０Ｃ）の全域、階段室４２Ａの一部（ホール４２Ｂとは反対側）、及びホール４２Ｂの一部（居室４０Ｂ側）の天井が、天井フレーム２２を天井下地として天井板３０が取り付けられて形成されている（図１参照）。これにより、居室４０等は、居住空間が広くされている。また、図１に示されるように、建物１０の廊下４２の天井は、天井フレーム２２よりも所定の高さだけ下げられて形成された図示しない天井下地に天井板３０が取り付けられている。これにより、建物１０の廊下４２には、天井高さが居室４０等の天井高さよりも所定高さ（例えば、２７．５ｃｍ）だけ下げられた下がり天井部５０が形成されている。
【００４６】
図３に示されるように、下がり天井部５０は、廊下４２から階段室４２Ａ上に延長されて、階段室４２Ａと居室４０Ｃとの間の間仕切り壁３８に達している。また、ホール４２Ｂには、階段室４２Ａから下がり天井部５０が延設されている。これにより、ホール４２Ｂの階段室４２Ａ側には、下がり天井部５０の延設部５２が形成されており、延設部５２が勾配屋根１２側とされている。
【００４７】
角ダクト４６は、直線部材４８Ａが廊下４２から階段室４２Ａ上を通って居室４０Ｃ側に向けられており、先端部が居室４０と廊下４２との間の間仕切り壁３８の近傍とされている。また、図１及び図３に示す如く、角ダクト４６は、直線部材４８Ｂが廊下４２から機械室４４に向けられて配置されており、直線部材４８Ｂの先端部が機械室４４に挿入配置されている。
【００４８】
図１に示すように、角ダクト４６は、陸屋根１４側の天井フレーム２２の下側に配置されており、角ダクト４６は、天井フレーム２２に支持されている。また、角ダクト４６は、幅寸法が廊下４２の幅よりも僅かに狭くされており（例えば、約１０００ｍｍ未満）、高さ寸法が下がり天井部５０よりも僅かに小さくされている（例えば、約２５０ｍｍ）。これにより、角ダクト４６は、廊下４２及び階段室４２Ａ内において下がり天井部５０内に収容されている。
【００４９】
室内機３６の熱交換ユニット３６Ａの上端には、供給ダクト５４の一端が接続されており、供給ダクト５４の他端が機械室４４の上部に突出された角ダクト４６の直線部材４８Ｂに接続されている。供給ダクト５４は、内部開口の直径が約３５０ｍｍとされた円形の丸ダクトとされており、可撓性（フレキシブル性）及び断熱性を有している。供給ダクト５４としては、フレキシブルダクト又はスパイラルダクトなどが用いられる。これにより、角ダクト４６には、室内機３６の熱交換ユニット３６Ａにより生成された空調空気が供給ダクト５４を介して供給される。なお、供給ダクト５４は、直線部材４８Ｂの下面に接続されていても良く、エルボーなどを介して直線部材４８Ｂの端面に接続されても良い。
【００５０】
図３及び図４に示されるように、角ダクト４６の直線部材４８Ａには、第１ダクト部の吹出し部としての吹出し部５６、５８が設けられている。吹出し部５６、５８は、矩形枠状とされて直線部材４８Ａから突出されており、突出先端が開口されている。吹出し部５６は、直線部材４８Ａの居室４０Ｃ側の端面に設けられており、居室４０Ｃと廊下４２との間の間仕切り壁３８を貫通されて居室４０Ｃに向けて開口されている。また、吹出し部５８は、直線部材４８Ａのホール４２Ｂとは反対側の側面に設けられて、階段室４２Ａに向けて開口されている。
【００５１】
吹出し部５６、５８には、グリル６０が設けられており、角ダクト４６は、吹出し部５６及びグリル６０を介して居室４０Ｃに連通されていると共に、吹出し部５８及びグリル６０を介して階段室４２Ａに連通されている。これにより、角ダクト４６に供給された空調空気が吹出し部５６、５８から居室４０Ｃ及び階段室４２Ａに吹出される。
【００５２】
一方、図３に示されるように、勾配屋根１２側の空調空間である居室４０Ａ、４０Ｂ及びホール４２Ｂには、第２ダクト部の吹出し部としての吹出し部６２が設けられている。吹出し部６２には、天井フレーム２２の上側に吹出しチャンバー６４が設けられており、吹出しチャンバー６４が天井板３０側に開口されている。また、天井板３０には、吹出しチャンバー６４に対応されて図示しない開口が形成されていると共に、下面（天井面）にグリル６６が設けられている。
【００５３】
居室４０Ａには、境界部１４Ａ側の間仕切り壁３８の近傍に吹出し部６２Ａ（６２）が設けられていると共に、吹出し部６２Ａとは反対側の屋外側の壁面近傍に吹出し部６２Ｂが設けられている。また、居室４０Ｂには、屋外側の壁面近傍に吹出し部６２Ｃ（６２）が設けられており、ホール４２Ｂには、居室４０Ｂ側の間仕切り壁３８の近傍（吹き抜け４２Ｃの上方）に吹出し部６２Ｄ（６２）が設けられている。
【００５４】
図１及び図３に示されるように、勾配屋根１２側に設けられている天井裏空間１２Ａ内には、第２ダクト部として吹出しダクト６８が設けられており、吹出しダクト６８は、内部開口が約２５０ｍｍの円形の丸ダクトとされ、可撓性（フレキシブル性）及び断熱性を有している。吹出しダクト６８は、フレキシブルダクト及びスパイラルダクトが用いられる。吹出しダクト６８は、吹出し部６２Ａ〜６２Ｄの各々に対応されて設けられて天井裏空間１２Ａ内を配索されている。吹出しダクト６８の各々は、一端が吹出し部６２の吹出しチャンバー６４に接続されると共に、他端が角ダクト４６に接続されており、吹出しチャンバー６４の各々と角ダクト４６とが吹出しダクト６８により連通されている。
【００５５】
角ダクト４６内の空調空気は、吹出しダクト６８を介して吹出しチャンバー６４に供給される。これにより、居室４０Ａには、吹出し部６２Ａ、６２Ｂの吹出しチャンバー６４から空調空気が吹出され、居室４０Ｂには、吹出し部６２Ｃの吹出しチャンバー６４から空調空気が吹出され、ホール４２Ｂには、吹出し部６２Ｄの吹出しチャンバー６４から空調空気が吹出される。なお、建物１０には、各居室４０と廊下４２との間の間仕切り壁３８又は扉に通気口３８Ａ（図１参照）が形成されており、居室４０内に吹出された空調空気が通気口３８Ａを介して廊下４２に戻され、廊下４２から機械室４４に吸い込まれて、空調空気が建物１０の全館（階上の全域）に循環される。
【００５６】
ここで、図４に示されるように、角ダクト４６には、接続部として接続チャンバー７０が設けられている。角ダクト４６は、直線部材４８Ａの居室４０Ｃ側（直線部材４８Ｂとは反対側）に延設部材（例えば、短ダクト）７０Ａが設けられており、角ダクト４６は、端部がホール４２Ｂ側（図１及び図３参照）に向けられている。図１及び図３に示されるように、延設部材７０Ａは、直線部材４８Ａのホール４２Ｂ側の側面から下がり天井部５０の延設部５２内に向けて突出されており、接続チャンバー７０は、延設部材７０Ａに設けられて延設部５２内に収容されている。これにより、接続チャンバー７０は、勾配屋根１２側の天井フレーム２２の下側に配置されている。
【００５７】
なお、本実施の形態では、直線部材４８Ａの居室４０Ｃ側の端部に接続チャンバー７０が取り付けられる延設部材７０Ａを設けているが、接続チャンバー７０が設けられる延設部材７０Ａの位置（接続チャンバー７０の位置）はこれに限るものではない。接続チャンバー７０は、吹出し部が設けられずに終端された角ダクト４６の先端部に設けられることが好ましい。角ダクト４６では、直線部材４８Ａに延設部材７０Ａを設けることで、直線部材４８Ａを屈曲させて角ダクト４６の先端部を形成しており、この角ダクト４６の接続チャンバー７０が設けられるようにしている。
【００５８】
接続チャンバー７０は、内部開口（断面開口）が矩形（図４では外形を示している）とされている。また、図４に示されるように、接続チャンバー７０は、突出方向先端部（直線部材４８Ａとは反対側の端部）側が平面視で円状（円弧状）又は楕円状に湾曲されている。これにより、接続チャンバー７０は、上面７０Ｂの先端部周縁が滑らかな凸状となるように湾曲されていると共に、端面７０Ｃが滑らかな湾曲面とされており、直線部材４８Ａ（延設部材７０Ａ）側から先端部へ向けて徐々に内部開口が狭められている。
【００５９】
接続チャンバー７０の上面７０Ｂの先端部には、円筒状の突部７２が設けられており、突部７２が上面７０Ｂから上方に突設されている。また、突部７２の外周周縁は、上面７０Ｂの端部周縁に近い位置（直近又は僅かに離れた位置）とされており、突部７２の外径が吹出しダクト６８の内径と略同じにされている。また、突部７２には、円形に貫通されて接続口７４が形成されている。なお、接続チャンバー７０としては、略三角形状とされ、先端部が円弧状に丸められた形状など、内部開口が徐々に縮小される任意の形状を適用することができる。
【００６０】
吹出しダクト６８は、先端部開口に接続チャンバー７０の突部７２が挿入されて接続チャンバー７０に接続される。これにより、吹出しダクト６８内は、接続口７４を介して角ダクト４６内に連通されて、空調空気が角ダクト４６から吹出しダクト６８に供給される。また、図１に示されるように、吹出しダクト６８は、延設部５２において天井フレーム２２の上側から下側に貫通される。
【００６１】
なお、接続チャンバー７０に複数の吹出しダクト６８が接続される場合、接続チャンバー７０には、供給ダクトの一旦が接続され、他端が天井裏空間１２Ａ内（例えば、延設部５２の直上の天井フレーム２２の上側）に配置された分岐用チャンバーに接続されても良い。この分岐用チャンバーに複数の吹出しダクト６８が接続されることで、複数の吹出しダクト６８の各々に空調空気を供給できる。また、接続チャンバー７０には、一端側に複数本の吹出しダクト６８が連通状態で接続されて１本に纏められた分岐ダクトが接続されても良い。
【００６２】
また、接続チャンバー７０には、複数本の吹出しダクト６８の各々が接続されても良い。図５（Ａ）には、接続チャンバー７０に代えて適用可能な接続部の一例としての接続チャンバー７６が示されている。接続チャンバー７６の上面７０Ｂには、複数（例えば４個）の突部７２が形成されている。複数の突部７２は、一つが上面の先端側周縁近傍とされ、該突部７２の角ダクト４６側に隣接してもう一つの突部７２が形成されている。これにより、接続チャンバー７６は、上面７０Ｂに複数本の吹出しダクト６８が接続される。
【００６３】
次に本実施の形態の作用を説明する。
建物１０には、上階上に勾配屋根１２及び陸屋根１４が設けられている。また、建物１０の上階には、空調設備３４の室内機３６が設けられており、室内機３６が廊下４２に面する機械室４４に配置されている。室内機３６は、廊下４２から空気を吸い込んで空調空気を生成し、生成した空調空気を角ダクト４６に供給する。角ダクト４６は、下がり天井部５０に収容されていると共に、室内機３６とは反対側に吹出しダクト６８が接続されており、吹出しダクト６８に吹出し部６２が接続されている。
【００６４】
陸屋根１４側の階段室４２Ａ及び居室４０Ｃは、角ダクト４６の吹出し部５６、５８から吹出される空調空気により空調される。また、勾配屋根１２側の居室４０Ａ、４０Ｂ及びホール４２Ｂは、吹出しダクト６８に接続された吹出し部６２から吹出される空調空気により空調される。さらに、居室４０Ａ〜４０Ｃ、階段室４２Ａ、及びホール４２Ｂの空調空気が、廊下４２を介して室内機３６に吸い込まれる。
【００６５】
ここで、建物１０の陸屋根１４側には、廊下４２から階段室４２Ａに跨って下がり天井部５０が形成されており、この下がり天井部５０に角ダクト４６が収容されている。また、建物１０には、勾配屋根１２側に延設部５２が設けられており、この延設部５２において角ダクト４６と吹出しダクト６８とが接続されている。これにより、空調設備３４は、勾配屋根１２側及び陸屋根１４側の各々に空調空気を供給できるので、陸屋根１４側に配置した室内機３６により構成される一システムにより、勾配屋根１２側及び陸屋根１４側の空調空間へ空調空気を供給できる。
【００６６】
また、角ダクト４６に供給された空調空気は、吹出し部５６から居室４０Ｃへ吹出されると共に、吹出し部５８から階段室４２Ａへ吹出される。これにより、空調設備３４では、天井裏（天井フレーム２２の上側）にダクトを配索する空間がない陸屋根１４側の空調空間（居室４０Ａ及び階段室４２Ａ）へ空調空気を吹出して空調を行うことができる。また、吹出し部５６、５８は、角ダクト４６に設けられているので、陸屋根１４側の居室４０Ｃ及び階段室４２Ａへの空調空気を吹出すための構成が簡単となっている。しかも、陸屋根１４側に室内機３６が設けられた一つの空調システムにより、勾配屋根１２及び陸屋根１４が形成された建物１０の上階の全域を空調することができる。
【００６７】
また、延設部５２には、接続チャンバー７０が収容されており、接続チャンバー７０が、勾配屋根１２側の天井フレーム２２の下側に配置されている。このために、吹出しダクト６８は、天井裏空間１２Ａ側から天井フレーム２２の天井小梁２６Ｃの間を通して延設部５２内に挿入して接続チャンバー７０に接続できる。これにより、吹出しダクト６８を接続チャンバー７０に接続するための取り回しが極めて容易となっている。しかも、吹出しダクト６８を無理に曲げる必要がない。
【００６８】
一方、接続チャンバー７０は、角ダクト４６側から先端部へ向けて内部開口（断面開口）が徐々に狭められており、先端部の形状が平面視で円弧状とされている。接続チャンバー７０には、内部開口が狭められた先端部に吹出しダクト６８が接続される。このために、接続チャンバー７０内を通過する空調空気は、先端部へ向けて効率良く収束されるので、吹出しダクト６８に供給される空調空気の圧力損失が大きくなるのが抑えられる。これにより、空調空気が角ダクト４６から吹出しダクト６８へ効率良く供給される。従って、吹出し部６２の各々から吹出される空調空気の量及び風量が下がるのを抑制でき、居室４０Ａ、４０Ｂ及びホール４２Ｂの各々の隅々まで空調空気を供給して空調を行うことができる。
【００６９】
なお、本実施の形態では、接続チャンバー７０の上面７０Ｂに吹出しダクト６８を接続するようにしたが、吹出しダクト６８の接続位置はこれに限るものではない。図５（Ｂ）に示される接続部としての接続チャンバー７８は、端面７０Ｃに突部７２が設けられており、この突部７２に吹出しダクト６８が接続される。これにより、接続チャンバー７８は、角ダクト４６から突部７２へ向けて効率良く空調空気を収束できるので、吹出しダクト６８に供給される空調空気が圧力損失を受けるのを抑制できる。
【００７０】
また、接続チャンバーには、上面７０Ｂ及び端面７０Ｃに突部７２が設けられても良く、これにより、接続チャンバーは、複数の吹出しダクト６８の各々へ効率良く空調空気を供給できる。さらに、接続部の形状は、吹出しダクト６８が接続される先端部が円弧状に湾曲された形状に限るものではない。接続部は、吹出しダクト６８へ向けて空調空気を収束できて、吹出しダクト６８に供給され空調空気に大きな圧力損失が生じるのを抑えることができれば、任意の形状を適用することができる。
【００７１】
また、本実施の形態では、延設部５２に接続部としての接続チャンバー７０を収容するように説明したが、これに限らず、延設部５２には、吹出しダクト６８を配索するようにしても良い。この場合、上記した接続チャンバー７８を下がり天井部５０内に配置しておき、天井裏空間１２Ａから天井フレーム２２を貫通させた吹出しダクト６８の先端を下がり天井部５０内に向けて接続チャンバー７８に接続しても良い。この場合もおいても、吹出しダクト６８の配索が容易となる。この場合、接続チャンバー７８に相当する形状を角ダクト４６に形成するなどして、吹出しダクト６８を角ダクト４６に直接接続するようにしても良い。
【００７２】
さらに、本実施の形態では、廊下４２から階段室４２Ａにかけて下がり天井部５０を設けたが、下がり天井部を設ける位置はこれに限るものではない。下がり天井部は、建物１０の間取りに合わせて設けても良い。また、下がり天井部は、居室４０等のデザインや照明性を考慮して設けられても良く、この場合、下がり天井部に合わせて第１ダクト部としての角ダクトが設けられれば良い。
【００７３】
また、陸屋根１４側となる居室用ユニット１６において予め間仕切り壁３８の位置がわかっている場合、居室用ユニット１６には、天井フレーム２２に予め角ダクト４６を取り付けられていても良い。これにより、建物１０の施工場所において天井フレーム２２に角ダクト４６を取り付ける作業を簡略にできるので、空調設備の施工が容易となる。
【００７４】
また、以上説明した本実施の形態では、ユニット式の建物１０を例に説明したが、建物はユニット式に限るものではなく、天井フレームは、木材等が用いられた天井梁によって形成されても良い。
【符号の説明】
【００７５】
１０    建物
１２    勾配屋根
１４    陸屋根
１６    居室用ユニット
２２    天井フレーム
３０    天井板
３４    空調設備
３６    室内機
４０（４０Ａ〜４０Ｃ）    居室
４２    廊下
４２Ａ    階段室
４２Ｂ    ホール
４６    角ダクト（第１ダクト部）
５０    下がり天井部
５２    延設部
５６、５８    吹出し部（第１ダクト部の吹出し部）
６２（６２Ａ〜６２Ｄ）    吹出し部
７０、７６、７８    接続チャンバー（接続部）
【図１】
0006535635.tif 000002
【図２】
0006535635.tif 000003
【図３】
0006535635.tif 000004
【図４】
0006535635.tif 000005
【図５】
0006535635.tif 000006